(57)【特許請求の範囲】
【請求項１】
商品に関する情報を取得する取得部と、
テレビジョン放映されたテレビジョンコンテンツの内容を記述したコンテンツ内容情報であって、テレビジョン番組内の複数のイベント毎に当該イベントが発生している期間を示すイベント発生期間と当該イベントに関連する商品に関する情報を含むコンテンツ内容情報を参照し、前記取得部が取得した商品に関する情報に関連するイベント発生期間のテレビジョンコンテンツを特定する特定部と、
テレビジョンが視聴された履歴を含む視聴履歴情報を参照し、前記視聴履歴情報に関する設定条件を満たすテレビジョンコンテンツを特定し、前記特定部が特定したイベント発生期間のテレビジョンコンテンツであって前記設定条件を満たすテレビジョンコンテンツを、選択コンテンツとして選択する選択部と、
を備えるコンテンツ作成装置。
【請求項２】
請求項１に記載のコンテンツ作成装置であって、
前記選択コンテンツの内容を用いて、前記取得部が取得した情報に関する商品の販売促進用情報を生成する生成部を備える、
コンテンツ作成装置。
【請求項３】
請求項２に記載のコンテンツ作成装置であって、
前記生成部は、消費者への表示に用いられる前記販売促進用情報を生成する、
コンテンツ作成装置。
【請求項４】
請求項２又は３に記載のコンテンツ作成装置であって、
前記生成部は、前記イベント発生期間と当該イベント発生期間のテレビジョン番組の番組情報が対応付けられた情報を参照し、前記選択コンテンツのイベント発生期間のテレビジョン番組の番組情報を含む前記販売促進用情報を生成する、
コンテンツ作成装置。
【請求項５】
請求項２から４のうちいずれか一項に記載のコンテンツ作成装置であって、
前記生成部は、前記イベント発生期間と当該イベント発生期間のテレビジョン番組の番組情報が対応付けられた情報を参照し、前記選択コンテンツの動画像又はキャプチャ画像と前記選択コンテンツのイベント発生期間のテレビジョン番組の番組情報を含む前記販売促進用情報を生成する、
コンテンツ作成装置。
【請求項６】
請求項２から５のうちいずれか一項に記載のコンテンツ作成装置であって、
前記取得部は、商品を識別する情報と当該商品の補足情報が対応付けられた情報を参照し、前記取得部が取得した情報に関する商品に対応付けられた補足情報を取得し、
前記特定部は、前記取得部が取得した補足情報を用いて、前記商品に関連するイベント発生期間のテレビジョンコンテンツを特定する、
コンテンツ作成装置。
【請求項７】
請求項２から６のうちいずれか一項に記載のコンテンツ作成装置であって、
複数の前記選択コンテンツの中から少なくとも１つの選択コンテンツの選択操作を受け付ける受付部と、
を備え、
前記受付部が選択操作により選択された選択コンテンツの内容を含む前記販売促進用情報であって消費者への表示に用いられる前記販売促進用情報を生成する、
コンテンツ作成装置。
【請求項８】
請求項２から７のうちいずれか一項に記載のコンテンツ作成装置であって、
前記生成部は、前記選択コンテンツの動画像又はキャプチャ画像を含む前記販売促進用情報を生成する、
コンテンツ作成装置。
【請求項９】
請求項２から８のうちいずれか一項に記載のコンテンツ作成装置であって、
前記生成部は、前記取得部が取得した商品に関する情報に基づいてウェブサイトを検索し、検索により取得した商品に関連する情報を含む前記販売促進用情報を生成する、
コンテンツ作成装置。
【請求項１０】
請求項２から９のうちいずれか一項に記載のコンテンツ作成装置であって、
前記生成部は、前記取得部が取得した商品に関する情報に基づいて当該商品の使用方法に関する情報を検索し、検索により取得した商品の使用方法に関する情報を含む前記販売促進用情報を生成する、
コンテンツ作成装置。
【請求項１１】
請求項２から請求項１０のうちいずれか一項に記載のコンテンツ作成装置であって、
前記商品は、食品であり、
前記生成部は、前記取得部が取得した食品に関する情報に基づいて当該食品を使用する料理レシピの情報を検索し、検索により取得した料理レシピの情報を含む前記販売促進用情報を生成する、
コンテンツ作成装置。
【請求項１２】
請求項２から１１のいずれか一項に記載のコンテンツ作成装置であって、
前記生成部は、前記選択コンテンツについての前記視聴履歴情報から得られる情報を含む前記販売促進用情報を生成する、
コンテンツ作成装置。
【請求項１３】
請求項１から１２のうちいずれか一項に記載のコンテンツ作成装置であって、
前記コンテンツ内容情報と前記視聴履歴情報を参照し、予め定められた複数の商品毎に関連するイベント発生期間のテレビジョンコンテンツであって、視聴履歴情報に関する設定条件を満たすテレビジョンコンテンツを特定し、特定したイベント発生期間のテレビジョンコンテンツに関連する商品を選択する商品選択部を備え、
前記取得部は、前記商品選択部が選択した商品に関する情報を取得する、
コンテンツ作成装置。
【請求項１４】
請求項１から１３のうちいずれか一項に記載のコンテンツ作成装置であって、
前記選択部は、前記視聴履歴情報を参照し、テレビジョン番組内のイベント毎の視聴履歴情報に関する設定条件を満たすイベント発生期間のテレビジョンコンテンツを特定し、前記特定部が特定したイベント発生期間のテレビジョンコンテンツであって前記設定条件を満たすイベント発生期間のテレビジョンコンテンツを、選択コンテンツとして選択する、
コンテンツ作成装置。
【請求項１５】
テレビジョン放映されたテレビジョンコンテンツの内容を記述したコンテンツ内容情報を参照し、少なくとも商品に関連する部分を含むテレビジョンコンテンツを特定する特定部と、
テレビジョンが視聴された履歴を含む視聴履歴情報を参照し、前記特定部により特定されたテレビジョンコンテンツから前記視聴履歴情報に関する設定条件を満たすテレビジョンコンテンツを、選択コンテンツとして選択する選択部と、
前記視聴履歴情報を参照して、前記選択コンテンツと視聴者が共通する度合いが高い他のテレビジョンコンテンツを選択し、当該他のテレビジョンコンテンツのコンテンツ内容情報に基づいて、商品の販売促進用情報を生成する生成部と、
を備えるコンテンツ作成装置。
【請求項１６】
請求項１５に記載のコンテンツ作成装置であって、
前記生成部は、前記コンテンツ内容情報を参照して得られる前記他のテレビジョンコンテンツが扱った商品と、前記商品とを共通して使用する使用方法を含む前記販売促進用情報を生成する、
コンテンツ作成装置。
【請求項１７】
商品に関する情報を取得する取得部と、
テレビジョン放映されたテレビジョンコンテンツの内容を記述したコンテンツ内容情報であって、テレビジョン番組内の複数のイベント毎に当該イベントが発生している期間を示すイベント発生期間と当該イベントに関連する商品に関する情報を含むコンテンツ内容情報を参照し、前記取得部が取得した情報に関する商品に関連するイベント発生期間のテレビジョンコンテンツを特定する特定部と、
を備えるコンテンツ作成装置。
【請求項１８】
請求項１７に記載のコンテンツ作成装置であって、
前記特定部が特定したイベント発生期間のテレビジョンコンテンツの内容を用いて、前記取得部が取得した情報に関する商品の販売促進用情報を生成する生成部を備える、
コンテンツ作成装置。
【請求項１９】
商品に関する情報を取得し、
テレビジョン放映されたテレビジョンコンテンツの内容を記述したコンテンツ内容情報であって、テレビジョン番組内の複数のイベント毎に当該イベントが発生している期間を示すイベント発生期間と当該イベントに関連する商品に関する情報を含むコンテンツ内容情報を参照し、前記取得した商品に関する情報に関連するイベント発生期間のテレビジョンコンテンツを特定し、
テレビジョンが視聴された履歴を含む視聴履歴情報を参照し、前記視聴履歴情報に関する設定条件を満たすテレビジョンコンテンツを特定し、前記取得した情報に関する商品に関連するイベント発生期間のテレビジョンコンテンツであって前記設定条件を満たすテレビジョンコンテンツを選択する、
コンテンツ作成方法。
【請求項２０】
コンピュータに、
商品に関する情報を取得させ、
テレビジョン放映されたテレビジョンコンテンツの内容を記述したコンテンツ内容情報であって、テレビジョン番組内の複数のイベント毎に当該イベントが発生している期間を示すイベント発生期間と当該イベントに関連する商品に関する情報を含むコンテンツ内容情報を参照させ、前記取得させた商品に関する情報に関連するイベント発生期間のテレビジョンコンテンツを特定させ、
テレビジョンが視聴された履歴を含む視聴履歴情報を参照させ、前記視聴履歴情報に関する設定条件を満たすテレビジョンコンテンツを特定させ、前記取得させた情報に関する商品に関連するイベント発生期間のテレビジョンコンテンツであって前記設定条件を満たすテレビジョンコンテンツを選択させる、
コンテンツ作成プログラム。
【請求項２１】
商品に関する情報を取得する取得部と、
テレビジョン放映されたテレビジョンコンテンツの内容を記述したコンテンツ内容情報であって、テレビジョン番組内の複数のイベント毎に当該イベントが発生している期間を示すイベント発生期間と当該イベントに関連する商品に関する情報を含むコンテンツ内容情報を参照し、前記取得部が取得した商品に関する情報に関連するイベント発生期間のテレビジョンコンテンツを特定する特定部と、
テレビジョンが視聴された履歴を含む視聴履歴情報を参照し、前記視聴履歴情報に関する設定条件を満たすテレビジョンコンテンツを特定し、前記特定部が特定したイベント発生期間のテレビジョンコンテンツであって前記設定条件を満たすテレビジョンコンテンツを、選択コンテンツとして選択する選択部と、
前記選択コンテンツの内容を用いて、前記取得部が取得した情報に関する商品の販売促進用情報を生成する生成部と、
各店舗において、前記生成部が生成した前記販売促進用情報に基づいて表示を行う表示部と、
を備えるコンテンツ提供システム。
【発明の詳細な説明】
【技術分野】
【０００１】
この発明は、コンテンツ作成装置、コンテンツ作成方法、コンテンツ作成プログラム、及びコンテンツ提供システムに関する。
【背景技術】
【０００２】
消費者が視聴した番組や広告等の中から、消費者自身が所望の商品又はサービスを選択すると、その選択に応答して、その商品又はサービスを特定する情報が記憶される販売促進支援システムが知られている（例えば、特許文献１）。この販売促進支援システムは、消費者が販売施設を訪れ、そこで表示装置を使用すると、記憶された商品又はサービスを特定する情報に基づいて、その商品又はサービスの販売促進のための情報を表示装置に表示する。
【先行技術文献】
【特許文献】
【０００３】
【特許文献１】特開２００３−２３３７５１号公報
【発明の概要】
【発明が解決しようとする課題】
【０００４】
しかしながら、特許文献１に記載の販売促進支援システムでは、消費者は、テレビジョン番組を視聴していなければ、販売促進のための情報を得ることができない。このため、販売促進効果が十分ではない。
【０００５】
そこで本発明は、上記従来技術の問題に鑑みてなされたものであり、販売促進効果の高い情報を作成することができるコンテンツ作成装置を提供することを目的の一つとする。
【課題を解決するための手段】
【０００６】
本発明の一態様は、テレビジョン放映されたテレビジョンコンテンツの内容を記述したコンテンツ内容情報を参照し、少なくとも商品に関連する部分を含むテレビジョンコンテンツを抽出する抽出部と、テレビジョンが視聴された履歴を含む視聴履歴情報を参照し、前記抽出部により抽出されたテレビジョンコンテンツから、前記視聴履歴情報に関する設定条件を満たすテレビジョンコンテンツを選択する選択部と、を備えるコンテンツ作成装置である。
【発明の効果】
【０００７】
本発明によれば、販売促進効果の高い情報を作成することができるコンテンツ作成装置を提供することができる。
【図面の簡単な説明】
【０００８】
【図１】第１の実施形態における販促支援システムの構成を示す利用状況を示す外観図の一例である。
【図２】第１の実施形態におけるテレビジョンコンテンツ情報テーブルの一例である。
【図３】第１の実施形態における店舗商品テーブルの一例である。
【図４】第１の実施形態における補足情報テーブルの一例である。
【図５】第１の実施形態におけるサイネージサーバと表示装置との概略ブロック図の一例である。
【図６】第１の実施形態における紹介テレビジョンコンテンツ特定情報テーブルの一例である。
【図７】第１の実施形態におけるコンテンツ視聴率テーブルの一例である。
【図８】第１の実施形態における視聴率画像のイメージ図である。
【図９】第１の実施形態における広告画像のイメージ図である。
【図１０】第１の実施形態における紹介テレビジョンコンテンツ特定情報取得部、視聴率算出部、好適コンテンツ選択部の動作を説明するフローチャートの一例である。
【図１１】第１の実施形態における視聴率算出部が紹介テレビジョンコンテンツ特定情報の視聴率を算出する動作を説明するフローチャートの一例である。
【図１２】第１の実施形態における販促情報画像生成部の動作を説明するフローチャートの一例である。
【図１３】第１の実施形態における広告画像生成部の動作を説明するフローチャートの一例である。
【図１４】一般的な消費者の行動パターンを表すフローチャートの一例である。
【図１５】第２の実施形態における適正点数の算出方法を説明するための概念図の一例である。
【図１６】第２の実施形態における相関コンテンツの選択を説明するための概念図である。
【図１７】第３の実施形態におけるサイネージサーバの概略ブロック図の一例である。
【図１８】第４の実施形態における選択画像のイメージ図である。
【図１９】第４の実施形態における販促情報画像生成部の動作を説明するフローチャートの一例である
【図２０】第５の実施形態におけるサイネージサーバの概略ブロック図の一例である。
【発明を実施するための形態】
【０００９】
＜第１の実施形態＞
以下、図面を参照して、第１の実施形態について説明する。
図１は、販促支援システム１０の利用状況を示す外観図である。販促支援システム１０は、表示装置１００、サイネージサーバ２００、視聴ログサーバ３００、コンテンツ情報サーバ４００、店舗商品サーバ５００、店舗商品補足サーバ６００、及び放映コンテンツ記録サーバ７００を含む。販促支援システム１０では、例えば、店舗Ｓｈｐ内に、表示装置１００、サイネージサーバ２００、店舗商品サーバ５００、及び店舗商品補足サーバ６００が設置されている。また、表示装置１００は、店頭商品ＭＰの傍らに設置されている。店舗商品ＭＰは、例えば、ユーザが販売を促進したい商品（以下、販促商品という）であり、食品や衣料品、電化製品等であるが、これらに限られない。表示装置１００、店舗商品サーバ５００、店舗商品補足サーバ６００は、例えば、サイネージサーバ２００とＬＡＮ（Local Area Network）等のネットワークで通信可能に接続されている。
【００１０】
サイネージサーバ２００（コンテンツ作成装置）は、ネットワークＮＷに接続されている。ネットワークＮＷには、更に、視聴ログサーバ３００、コンテンツ情報サーバ４００、及び放映コンテンツ記録サーバ７００が接続されており、互いに通信可能な状態となっている。サイネージサーバ２００は、ユーザから販促商品の登録を受け付けると、サイネージサーバ２００と通信可能に接続されている各サーバから、販促商品に関する情報を取得し、それらの情報に基づいて、広告画像を販売促進情報として生成する。
【００１１】
視聴ログサーバ３００は、全国のテレビジョン受像機から収集された視聴ログを記憶している。視聴ログは、例えば、視聴された放送局を識別する放送局識別ＩＤと、テレビジョンコンテンツが放映された時間とを対応付けて記憶した情報であり、視聴ログを収集可能な全国又は地域毎のテレビジョン受像機から収集される。なお、視聴ログは、テレビジョン受像機によるテレビジョンコンテンツの視聴に関して、リアルタイムでの視聴ログだけではなく、録画された場合や、録画予約された場合も視聴したものとして記録されていてもよい。テレビジョンコンテンツは、例えば、テレビジョン放送局が放映しているテレビジョン番組を時間で分割したときの分割された一部分であるが、テレビジョン番組内のコーナーや、テレビジョン番組自体、あるいは複数のテレビジョン番組にまたがる時間帯のコンテンツである。
【００１２】
コンテンツ情報サーバ４００は、全国のテレビジョン受像機に対して放映される各種テレビジョンコンテンツの内容に関する情報（以下、テレビジョンコンテンツ情報という）を、テレビジョンコンテンツ情報テーブルとして記憶している。テレビジョンコンテンツ情報とは、テレビジョンコンテンツの内容を記述した情報であり、例えば、該当するテレビジョンコンテンツを含むテレビジョン番組名と、該当するテレビジョンコンテンツを含むテレビジョン番組内で起こった出来事（以下、イベントという）に関連した情報とが紐付けられた情報である。
【００１３】
図２は、コンテンツ情報サーバ４００に記憶されているテレビジョンコンテンツ情報テーブルｔ１００の一例である。テレビジョンコンテンツ情報テーブルｔ１００はレコード毎に、識別ＩＤ、イベント開始時刻、イベント終了時刻、テレビジョンコンテンツを含むテレビジョン番組名、イベント包含コーナー、イベント内容情報、及び放送局ＩＤを対応付けて格納している。テレビジョンコンテンツ情報には、情報を識別するための識別ＩＤが付与されている。イベントとは、例えば、出演者が発言したり、映像が流れたりといった一つ一つの出来事を示す。
【００１４】
また、イベントに関連した情報とは、例えば、イベント毎に、イベントが起こった時刻（以下、イベント開始時刻という）、イベントが終わった時刻（以下、イベント終了時刻という）、イベントの内容を表す情報（以下、イベント内容情報という）、イベントが起こった時のコーナー名（以下、イベント包含コーナーという）、及びイベントが起こったテレビジョンコンテンツを放映している放送局を識別する放送局ＩＤ等が記述された情報である。イベント内容情報とは、例えば、イベント中に紹介された店舗名、商品名や、イベント時に映っていた出演者の発言内容、出演者名、出演者の動き、出演者の表情等をテキスト情報で記録したものである。図２では、テレビジョンコンテンツ情報テーブルｔ１００の一部分のみを描いたが、実際にはテレビジョンコンテンツ情報テーブルｔ１００は、全国又は地域で放映されたテレビジョンコンテンツに対応したテレビジョンコンテンツ情報を全て格納していてよい。
【００１５】
店舗商品サーバ５００は、店舗商品テーブルを記憶している。図３は、店舗商品サーバ５００に記憶されている、店舗商品テーブルｔ２００の一例である。図３に示すように、店舗商品テーブルｔ２００は、例えば、店舗で取り扱っている商品を識別する商品ＩＤ、商品名、産地、商品の価格等を格納している。これに限らず店舗商品テーブルｔ２００は、商品の在庫数や、既発注数や、販売目標達成率等を格納していてもよい。
【００１６】
店舗商品補足サーバ６００は、店舗商品テーブルｔ２００に格納されている各種商品名及び／又は商品ＩＤに紐付けられた補足情報を、補足情報テーブルとして記憶している。本実施形態では、補足情報は、商品ＩＤ及び商品名の両方に紐付けられているものとするが、いずれか一方に紐付けられていてもよい。補足情報は、例えば、商品に関連するキーワード（以下、商品キーワードという）である。商品キーワードは、例えば、商品名に対応する商品の種類である。具体的には、商品キーワードは、商品が食品の場合なら品種、商品が衣料品の場合ならブランド名等が該当する。本実施形態では、説明を簡略化するために、一つの商品名毎に一つの商品キーワードが紐付けられているとするが、これに限られず、一つの商品に複数の商品キーワードが紐付けられてもよい。
【００１７】
図４は、店舗商品補足サーバ６００に記憶されている、補足情報テーブルｔ３００の一例である。補足情報テーブルｔ３００は、商品ＩＤ、商品名とともに、これらに紐付けられた、商品キーワードを格納している。また、補足情報テーブルｔ３００は、商品ＩＤ及び商品名を通して、図３の店舗商品テーブルｔ２００と紐付けられている。
【００１８】
放映コンテンツ記録サーバ７００は、全国の各テレビジョン放送局が放映しているテレビジョンコンテンツを録画し、テレビジョンコンテンツ毎の動画であるコンテンツ動画として記憶している。放映コンテンツ記録サーバ７００は、サイネージサーバ２００からのコンテンツ動画取得要求に従い、サイネージサーバ２００に、コンテンツ動画を送信する。
【００１９】
ネットワークＮＷは、例えば、インターネットや移動体通信網などのネットワークであるが、これに限られるものではなく、イントラネットや専用回線等でもよいし、それらの組み合わせによって構成される情報通信ネットワークでもよい。
表示装置１００は、例えば、平面ディスプレイ等の表示部を備えた、映像や情報を表示する広告媒体であるデジタルサイネージであるが、これに限られず、消費者によって持ち運びされるタブレットＰＣ（Personal Computer）や電子ブックリーダー等の端末装置であってもよい。表示装置１００は、サイネージサーバ２００で生成された広告画像を、自装置のディスプレイに表示する。なお、表示装置１００は、広告画像に音声が付随している場合に音声を出力してもよい。
【００２０】
図５は、第１の実施形態における表示装置１００及びサイネージサーバ２００の構成を示す概略ブロック図である。
表示装置１００は、通信部１０１、及び表示部１０２を含む。
通信部１０１は、ネットワークＮＷを介して、サイネージサーバ２００から、広告画像を受信する。通信部１０１は、受信した広告画像を、表示部１０２に出力する。
表示部１０２は、液晶ディスプレイパネル、あるいは、有機ＥＬディスプレイパネルである。表示部１０２は、取得した広告画像を表示する。
【００２１】
サイネージサーバ２００は、例えば、通信部２０１、広告画像生成部２０２、販促情報画像生成部２０３、商品補足情報取得部２０４、紹介テレビジョンコンテンツ特定情報取得部２０５、視聴率算出部２０６、好適コンテンツ選択部２０７、販促商品名記憶部２０８、販促商品名受付部２０９、紹介テレビジョンコンテンツ特定情報記憶部２１０、及び販促情報選択受付部２１１を含む。
【００２２】
通信部２０１は、例えば、ネットワークカードであり、ＬＡＮやネットワークＮＷを通して、各種サーバと通信する。また、通信部２０１は、商品補足情報取得部２０４、紹介テレビジョンコンテンツ特定情報取得部２０５等からの指示（要求）に応じて、視聴ログサーバ３００、コンテンツ情報サーバ４００、店舗商品サーバ５００、店舗商品補足サーバ６００、放映コンテンツ記録サーバ７００のそれぞれと通信する。
【００２３】
販促商品名受付部２０９は、販促商品としたい商品の名称（以下、販促商品名という）の入力をユーザから受け付け、受け付けた販促商品名を販促商品名記憶部２０８に記憶させる。
販促商品名記憶部２０８は、ＲＡＭやレジスタ、あるいは、ＨＤＤやＳＳＤ等の記録媒体である。販促商品名記憶部２０８は、前述した販促商品名を記憶する。
【００２４】
商品補足情報取得部２０４は、販促商品名記憶部２０８に記憶された販促商品名を読み込み、読み込んだ販促商品名に紐付けられた補足情報（商品キーワード）を、店舗商品補足サーバ６００から取得する。その後、商品補足情報取得部２０４は、取得した商品キーワードを紹介テレビジョンコンテンツ特定情報取得部２０５に出力する。
【００２５】
紹介テレビジョンコンテンツ特定情報取得部２０５は、取得した商品キーワードが含まれているイベント内容情報に紐付けられたテレビジョンコンテンツ（以下、紹介テレビジョンコンテンツ）を特定する情報（以下、紹介テレビジョンコンテンツ特定情報という）を、コンテンツ情報サーバ４００から取得する。以下では、紹介テレビジョンコンテンツは、イベント開始時間及びイベント終了時間で特定されるコンテンツであるものとして説明する。ここで、紹介テレビジョンコンテンツ特定情報を取得する具体的な例を説明する。図２のテレビジョンコンテンツ情報テーブルｔ１００において、識別ＩＤが３４３４３６６のレコードを見ると、イベント内容情報として、例えば、「いちご」というキーワードを含んでいる。この「いちご」が販促商品の商品キーワードだった場合、このレコードに含まれる情報が、紹介テレビジョンコンテンツ特定情報として取得される。
【００２６】
図６は、紹介テレビジョンコンテンツ特定情報取得部２０５が取得した紹介テレビジョンコンテンツ特定情報を格納した紹介テレビジョンコンテンツ特定情報テーブルｔ５００の一例である。図６に示すように、紹介テレビジョンコンテンツ特定情報テーブルｔ５００は、販促商品の商品キーワードが含まれているテレビジョンコンテンツを、図２のテレビジョンコンテンツ情報テーブルｔ１００から抽出したものとなっている。紹介テレビジョンコンテンツ特定情報取得部２０５は、取得した紹介テレビジョンコンテンツ特定情報を、紹介テレビジョンコンテンツ特定情報テーブルｔ５００として、紹介テレビジョンコンテンツ特定情報記憶部２１０に記憶させる。
紹介テレビジョンコンテンツ特定情報記憶部２１０は、ＲＡＭやレジスタ、あるいは、ＨＤＤやＳＳＤ等の記録媒体である。紹介テレビジョンコンテンツ特定情報記憶部２１０は、紹介テレビジョンコンテンツ特定情報テーブルｔ５００を記憶する。
【００２７】
視聴率算出部２０６は、紹介テレビジョンコンテンツ特定情報を、紹介テレビジョンコンテンツ特定情報記憶部２１０から読み込む。視聴率算出部２０６は、読み込んだ紹介テレビジョンコンテンツ特定情報に基づいて、紹介テレビジョンコンテンツの視聴ログを、視聴ログサーバ３００から取得する。視聴率算出部２０６は、取得した視聴ログに基づいて、紹介テレビジョンコンテンツの視聴率を算出し、コンテンツ視聴率テーブルを生成する。図７は、コンテンツ視聴率テーブルｔ４００の一例である。コンテンツ視聴率テーブルｔ４００は、紹介テレビジョンコンテンツ特定情報であるイベント開始時刻及びイベント終了時刻と、紹介テレビジョンコンテンツを含むイベント包含コーナーと、紹介テレビジョンコンテンツを含むテレビジョン番組名と、紹介テレビジョンコンテンツの全国視聴率及び地域視聴率とを格納している。視聴率算出処理の詳細は後述する。視聴率算出部２０６は、生成したコンテンツ視聴率テーブルｔ４００を、好適コンテンツ選択部２０７に出力する。
【００２８】
好適コンテンツ選択部２０７は、コンテンツ視聴率テーブルｔ４００から紹介テレビジョンコンテンツを一つずつ選択する。好適コンテンツ選択部２０７は、選択した紹介テレビジョンコンテンツに対応するイベント内容情報を、紹介テレビジョンコンテンツ特定情報記憶部２１０から読み込む。好適コンテンツ選択部２０７は、読み込んだイベント内容情報に対して、自然言語解析を行う。好適コンテンツ選択部２０７は、この自然言語解析によって、選択した紹介テレビジョンコンテンツが、負の印象を連想させる言葉を含むイベント内容情報（以下、負内容情報という）と紐付いているか否かを判定（以下、負印象判定という）する。
【００２９】
負の印象を連想させる言葉は、例えば、「死」、「事件」、及び「事故」等である。好適コンテンツ選択部２０７は、選択した紹介テレビジョンコンテンツが、負内容情報と紐付いている場合、選択した紹介テレビジョンコンテンツを含む全てのレコードを、コンテンツ視聴率テーブルｔ４００から除外する（以下、テーブル好適化処理という）。好適コンテンツ選択部２０７は、コンテンツ視聴率テーブルｔ４００内の全ての紹介テレビジョンコンテンツに対して負印象判定を行った後、除外されずに残ったレコードが格納されているコンテンツ視聴率テーブルｔ４００を、好適コンテンツ視聴率テーブルとして、販促情報画像生成部２０３に出力する。
【００３０】
販促情報画像生成部２０３は、取得した好適コンテンツ視聴率テーブルの中から、最も地域視聴率の高い紹介テレビジョンコンテンツを抽出する。販促情報画像生成部２０３は、抽出した紹介テレビジョンコンテンツを、販促情報画像を生成するための主たる情報源であるテレビジョンコンテンツ（以下、販促コンテンツという）として選択する。販促情報画像とは、サイネージサーバ２００が生成する広告画像の基となる画像である。販促情報画像は、例えば、販促商品を宣伝する文章を表示する宣伝文句画像、紹介テレビジョンコンテンツのコンテンツ動画をキャプチャしたキャプチャ画像、販促商品に関連するＷｅｂサイトから得られる情報を含む販促商品の販売促進情報を表示するサイト情報画像、視聴率を表示する視聴率画像、販促商品の価格を表示する価格情報画像、販促商品の補足情報を表示する補足情報画像、キャプチャ画像に対応する紹介テレビジョンコンテンツとは別の紹介テレビジョンコンテンツにおける販促商品に関連する情報を表示する他コンテンツ情報画像、及び販促商品の使用方法を表示する商品使用方法情報画像等の一部または全部を含む。
【００３１】
本実施形態において、サイト情報画像は、Ｔｗｉｔｔｅｒ（登録商標）上で販促商品名がツィートされたツィート数を表示する画像とするが、これに限られるわけではない。サイト情報画像は、例えば、Ｆａｃｅｂｏｏｋ（登録票表）やＭｉｘｉ（登録商標）等の他のＳＮＳ（Social Networking Service）サイトに投稿された販促商品名を含んだ日記等の投稿数を表示するための画像であってもよいし、Ｇｏｏｇｌｅ（登録商標）等の検索エンジンの検索数が上昇しているワードの検索件数を表示する画像であってもよい。
【００３２】
視聴率画像は、例えば、視聴率掲載文字列画像、視聴状況地図、時系列累計視聴数グラフの一部または全部である。視聴率画像は、販促商品に対する世間での盛り上がりを伝えることで、流行への乗り遅れ感や、他社の購入による入手困難の発生を想起させることに繋がるので、消費者の購入意欲を上げる効果がある。ここで、図８を参照して、これら３種類の視聴率画像を説明する。図８は、３種類の視聴率画像のイメージ図である。ｔｘｔは、全国視聴率の視聴率掲載文字列画像である。視聴率掲載文字列画像ｔｘｔは、視聴率掲載文字列画像ｔｘｔを見た消費者に、視聴率を表す数値を見せることで、販促商品に対する世間の関心高いことを認識させることができ、購買意欲を高める。
【００３３】
また、図８においてｍａｐは、視聴状況地図である。視聴状況地図ｍａｐは、ユーザの店舗を中心とした周辺地図である。視聴状況地図ｍａｐは、販促情報画像生成部２０３が、視聴ログサーバ３００から、販促コンテンツを視聴した消費者の住居を示す情報を取得し、取得した情報に基づいて、上記周辺地図上に、販促コンテンツを見た人の住居が位置する場所に印ｐｉｎを付けた地図である。視聴状況地図ｍａｐを表示することによって、視聴状況地図ｍａｐを見た消費者に、店舗を中心とした周辺地域における視聴者数の多さを視覚的に認識させることができ、消費者の購買意欲を高めることができる。
【００３４】
また、図８においてｇｒｐｈは、時系列累計視聴数グラフである。時系列累計視聴数グラフｇｒｐｈは、所定の期間内の日時毎に、販促商品に係るテレビジョンコンテンツの累計視聴者数をグラフ化したものである。時系列累計視聴数グラフｇｒｐｈには、例として、２０１３年３月１０日４：００から２０１３年３月１２日１２：００までの期間、４時間経過毎に、各時刻までの累計視聴数が棒グラフとして表示されている。累計視聴数は、この期間に放映されたテレビジョンコンテンツのうち、販促商品に係る情報を紹介していたテレビジョンコンテンツを視聴していた消費者の累計数である。時系列累計視聴数グラフｇｒｐｈを表示することによって、時系列累計視聴数グラフｇｒｐｈを見た消費者に、販促コンテンツ放映から時間が経過するごとに、世間での販促商品への関心の高まりを視覚的に認識させることができ、消費者の購買意欲を高めることができる。
【００３５】
販促情報画像生成部２０３は、選択した販促コンテンツに対応する紹介テレビジョンコンテンツ特定情報を、紹介テレビジョンコンテンツ特定情報記憶部２１０から読み込む。販促情報画像生成部２０３は、読み込んだ紹介テレビジョンコンテンツ特定情報に基づいて、販促情報画像を生成する。なお、販促情報画像生成部２０３は、販促情報画像を生成する際、販促情報選択受付部２１１から取得するユーザ選択情報を利用する。ユーザ選択情報は、ユーザにより入力される情報であって、３種類の視聴率画像のうちのいずれを選択して生成するかを販促情報画像生成部２０３に指定するための情報である。販促情報画像生成部２０３は、例えば、視聴率掲載文字列画像ｔｘｔと、視聴状況地図ｍａｐと、時系列累計視聴数グラフｇｒｐｈとの中から、ユーザ選択情報に基づいて、生成する視聴率画像を決定する。販促情報画像の生成処理の詳細については後述する。販促情報画像生成部２０３は、販促情報画像を生成すると、販促情報画像を広告画像生成部２０２に出力する。
【００３６】
なお、前述のように、本実施形態における販促コンテンツの選択は、地域視聴率を比較して決定したが、販促コンテンツの決定方法はこれに限られない。販促コンテンツの決定は、例えば、全国視聴率を比較して行ってもよいし、全国視聴率と地域視聴率とで最も高い視聴率の紹介テレビジョンコンテンツをそれぞれ独立に選択し、それらのうち全国視聴率の高い方、あるいは、地域視聴率の高い方を販促コンテンツとして選択し直してもよい。
【００３７】
販促情報選択受付部２１１は、前述したユーザ選択情報をユーザから受け付け、受け付けたユーザ選択情報を、販促情報画像生成部２０３に出力する。
広告画像生成部２０２は、取得した販促情報画像に基づいて、広告画像を生成する。広告画像は、販促情報画像生成部２０３から取得した種々の販促情報画像を、所定の位置に配置したものである。所定の位置は、予め決められた位置でもよいし、ユーザが設定してもよい。本実施形態では、所定の位置は、広告画像として配置される販促情報画像の組み合わせ毎に、予め決められているものとする。広告画像生成部２０２は、通信部２０１を介して、表示装置１００に、広告画像を送信する。
【００３８】
図９は、広告画像生成部２０２が、販促情報画像生成部２０３から、販促情報画像を取得し、それらを所定の位置に配置することで生成した広告画像のイメージ図である。第１の実施形態において、所定の位置は、広告画像として利用する販促情報画像の組み合わせ毎に異なる。広告画像生成部２０２は、広告画像として利用する販促情報画像の組み合わせが決定されると、その組み合わせに対応する所定の位置を選択する。広告画像生成部２０２は、例えば、Ａ配置、Ｂ配置という２つの配置が予め用意されている場合、宣伝文句画像、視聴率掲載文字列画像、及びキャプチャ画像の３つの画像が組み合わされた場合はＡ配置であり、宣伝文句画像、視聴状況地図、及びキャプチャ画像の３つの画像が組み合わされた場合はＢ配置というように配置を決定する。
【００３９】
広告画像ｉｍｇ１００とｉｍｇ２００は、販促情報画像の組み合わせが異なることによって、それぞれ異なる所定の配置に従って生成された広告画像の例である。広告画像ｉｍｇ１００は、宣伝文句画像ｄ１０１、視聴率掲載文字列画像ｔｘｔ、キャプチャ画像ｄ１０３、ネット盛況情報画像ｄ１０４、価格情報画像ｄ１０５、補足情報画像ｄ１０６、他コンテンツ情報画像ｄ１０７、及び商品使用方法情報画像ｄ１０８を組み合わせた場合の広告画像である。また、広告画像ｉｍｇ２００は、宣伝文句画像ｄ２０１、視聴状況地図ｍａｐ、キャプチャ画像ｄ２０３、価格情報画像ｄ２０５、補足情報画像ｄ２０６、他コンテンツ情報画像ｄ２０７、及び商品使用方法情報画像ｄ２０８を組み合わせた場合の広告画像である。
【００４０】
宣伝文句画像ｄ１０１は、販促コンテンツ及び販促コンテンツが放映された日付と、予め登録されていた所定の販促文句（図９のｄ１０１では「お買い得です」）を結合させて生成した宣伝文句を表す文字列を表示するための画像である。宣伝文句画像ｄ２０１の場合は、所定の販促文句は「今日だけの大特価です」である。
【００４１】
キャプチャ画像ｄ１０３は、販促情報画像生成部２０３が、販促商品の販売促進に効果的な画像を、キャプチャ画像として販促コンテンツのコンテンツ動画からキャプチャした画像である。販促支援システム１０は、キャプチャ画像ｄ１０３を表示することで、販促商品を消費者に類推・想起させることができる。販促コンテンツを視聴していた消費者に対しては、例えば、購買意欲を思い出させることができる。また、視聴していない消費者に対しては、販促商品に係る情報を想起させることができる。また、補足情報画像ｄ１０６は、販促コンテンツでは紹介されなかった情報を提供する。販促支援システム１０は、補足情報画像ｄ１０６を表示することで、店舗サービスの向上による来客リピート率の上昇を促進し、販促コンテンツを視聴していない消費者への表示内容の信頼性を向上させることができる。また、販促支援システム１０は、他コンテンツ情報画像ｄ１０７を表示することで、販促コンテンツを視聴していない消費者に対しても、販促効果を向上させることができる。また、販促支援システム１０は、商品使用方法情報画像ｄ１０８を表示することで、消費者の販促コンテンツの視聴如何に係わらず、購買意欲を向上させることができ、更に、商品使用方法に付随した販促商品と関連する商品をついでに購入する意欲を喚起する。
【００４２】
このように、紹介テレビジョンコンテンツ特定情報取得部２０５は、テレビジョンコンテンツの内容を記述した紹介テレビジョンコンテンツ特定情報を参照し、商品に関連するテレビジョンコンテンツとして紹介テレビジョンコンテンツを抽出する。そして、販促情報画像生成部２０３は、紹介テレビジョンコンテンツが視聴された履歴を含む視聴履歴情報の一例である視聴率を好適コンテンツ視聴率テーブルから参照し、最も視聴率の高い紹介テレビジョンコンテンツを販促コンテンツとして選択するので、サイネージサーバ２００は、販売促進効果の高い情報を作成することができる。
【００４３】
図１０は、紹介テレビジョンコンテンツ特定情報取得部２０５と、視聴率算出部２０６と、好適コンテンツ選択部２０７とが、好適コンテンツ視聴率テーブルを生成するまでの動作を説明するフローチャートの一例である。まず、紹介テレビジョンコンテンツ特定情報取得部２０５は、販促商品の商品キーワードを取得する（ＳＴ１００）。次に、紹介テレビジョンコンテンツ特定情報取得部２０５は、商品キーワードに基づいて、紹介テレビジョンコンテンツ特定情報を取得する（ＳＴ１０１）。次に、視聴率算出部２０６は、取得した紹介テレビジョンコンテンツの全国視聴率及び地域視聴率を算出する（ＳＴ１０２）。次に、視聴率算出部２０６は、コンテンツ視聴率テーブルｔ４００を生成する（ＳＴ１０３）。
【００４４】
次に、好適コンテンツ選択部２０７は、ＳＴ１０５からＳＴ１０６の処理を、コンテンツ視聴率テーブルｔ４００のレコード毎に繰り返し実行する（ＳＴ１０４、ＳＴ１０７）。好適コンテンツ選択部２０７は、負印象判定を行う（ＳＴ１０５）。好適コンテンツ選択部２０７は、コンテンツ視聴率テーブルｔ４００から選択したイベント包含コーナーが、負内容情報と紐付いているとき（ＳＴ１０５−Ｙｅｓ）、ＳＴ１０６に遷移する。好適コンテンツ選択部２０７は、コンテンツ視聴率テーブルｔ４００から選択したイベント包含コーナーが、負内容情報と紐付いていないとき（ＳＴ１０５−Ｎｏ）、次のレコードに対してＳＴ１０５の処理を行う。ＳＴ１０５で、自然言語解析を実行した紹介テレビジョンコンテンツが、負内容情報と紐付いていたとき、好適コンテンツ選択部２０７は、テーブル好適化処理を行う（ＳＴ１０６）。
【００４５】
図１１は、視聴率算出部２０６が、紹介テレビジョンコンテンツの全国視聴率及び地域視聴率を算出する動作を説明するフローチャートの一例である。まず、視聴率算出部２０６は、紹介テレビジョンコンテンツ特定情報テーブルｔ５００を取得する（ＳＴ２００）。次に、視聴率算出部２０６は、紹介テレビジョンコンテンツの視聴ログを取得する（ＳＴ２０１）。次に、視聴率算出部２０６は、紹介テレビジョンコンテンツ特定情報テーブルｔ５００の紹介テレビジョンコンテンツ毎に、ＳＴ２０３からＳＴ２０６までの処理を繰り返し実行する（ＳＴ２０２、ＳＴ２０７）。
【００４６】
視聴率算出部２０６は、当該紹介テレビジョンコンテンツが終了しているか否かを判定する（ＳＴ２０３）。視聴率算出部２０６は、当該紹介テレビジョンコンテンツがすでに終了しているとき（ＳＴ２０３−Ｙｅｓ）、次の紹介テレビジョンコンテンツにＳＴ２０３の処理を行う。視聴率算出部２０６は、当該紹介テレビジョンコンテンツがまだ終了していないとき（ＳＴ２０３−Ｎｏ）、ＳＴ２０４に遷移する。ＳＴ２０３で、当該紹介テレビジョンコンテンツが終了していたとき、視聴率算出部２０６は、当該紹介テレビジョンコンテンツの放映時間を所定の時間間隔に分割し、分割された時間間隔毎に当該紹介テレビジョンコンテンツを視聴していたテレビジョン受像機の全国及び地域それぞれの台数をカウントし、分割された時間間隔毎にカウントされた台数を和算して合計を算出する（ＳＴ２０４）。本実施形態において、所定の時間間隔は、単位時間当たりの視聴台数を求めるために１分間隔とする。次に、視聴率算出部２０６は、ＳＴ２０４で合計された台数を、当該紹介テレビジョンコンテンツの放映時間で除算し、単位時間当たり（本実施形態の場合１分当たり）の全国及び地域の平均視聴台数を算出する（ＳＴ２０５）。次に、視聴率算出部２０６は、算出した全国及び地域の平均視聴台数をそれぞれ、全国にある視聴ログを収集可能な全テレビジョン受像機の台数、地域にある視聴ログを収集可能な全テレビジョン受像機の台数で除算することで、紹介テレビジョンコンテンツの全国及び地域視聴率を算出する（ＳＴ２０６）。
【００４７】
図１２は、販促情報画像生成部２０３が、販促情報画像を生成する動作を説明するフローチャートの一例である。まず、販促情報画像生成部２０３は、好適コンテンツ選択部２０７から、好適コンテンツ視聴率テーブルを取得する（ＳＴ４００）。次に、販促情報画像生成部２０３は、紹介テレビジョンコンテンツ特定情報記憶部２１０から、紹介テレビジョンコンテンツ特定情報テーブルｔ５００を読み込む（ＳＴ４０１）。次に、販促情報画像生成部２０３は、ユーザ選択情報を取得する（ＳＴ４０２）。次に、販促情報画像生成部２０３は、好適コンテンツ視聴率テーブルを参照し、紹介テレビジョンコンテンツの全国視聴率及び地域視聴率に基づいて、販促コンテンツを選択する（ＳＴ４０３）。
【００４８】
次に、販促情報画像生成部２０３は、前述した宣伝文句画像を生成する（ＳＴ４０４）。ここで、宣伝文句画像の生成についてより詳細に説明する。販促情報画像生成部２０３は、紹介テレビジョンコンテンツ特定情報テーブルｔ５００を参照し、販促コンテンツを含むテレビジョン番組名、販促コンテンツが放映された日付、販促商品を紹介した出演者名等を、自然言語解析等によって抽出する。本実施形態において、販促情報画像生成部２０３は、例えば、紹介テレビジョンコンテンツ特定情報から、販促コンテンツを含むテレビジョン番組名、販促コンテンツが放映された日付、販促商品を紹介した出演者名等を抽出したが、これらに限られず、イベント開始時刻や、販促コンテンツを含むイベント包含コーナー等を付加的に抽出してもよい。また、販促情報画像生成部２０３は、予め登録されていた所定の販促文句を表す文字列を読み込む。販促情報画像生成部２０３は、抽出した販促コンテンツを含むテレビジョン番組名、紹介テレビジョンコンテンツが放映された日付、販促商品を紹介した出演者名等と、読み込んだ販促文句を表す文字列とを結合し、宣伝文句を表す文字列を生成する。販促情報画像生成部２０３は、生成した宣伝文句を表す文字列を、所定の形式に従って宣伝文句画像とする。所定の形式は、例えば、画像の縦幅と横幅、背景色、文字色等のことであり、予めサイネージサーバ２００に設定されているものとするが、これに限られるわけではなく、ユーザが後から自由に設定できてもよい。以下、販促情報画像生成部２０３が各画像を生成する際の所定の形式は、販促情報画像生成部２０３が生成する各画像に対して、画像の縦幅と横幅、背景色、文字色等の所定の形式が、予めサイネージサーバ２００に設定されているものとする。
【００４９】
次に、販促情報画像生成部２０３は、販促コンテンツの視聴率を伝えるための視聴率画像を生成する（ＳＴ４０５）（図８参照）。視聴率紹介画像の生成について、具体的には、販促情報画像生成部２０３は、好適コンテンツ視聴率テーブルから、販促コンテンツの、全国視聴率及び地域視聴率を抽出する。そして、販促情報画像生成部２０３は、抽出した販促コンテンツの全国視聴率及び地域視聴率と、販促コンテンツの紹介テレビジョンコンテンツ特定情報とが、所定の条件を満たすか否かを判定し、その判定結果に基づいて、全国視聴率の視聴率画像を生成するか、地域視聴率の視聴率画像を生成するかを決定する。
【００５０】
全国視聴率の視聴率画像を生成する所定の条件（１）は、例えば、販促商品が食品であり、かつ、イベント内容情報に「おいしい」という言葉が含まれていることである。販促情報画像生成部２０３は、所定の条件（１）が満たされていた場合、全国視聴率の視聴率画像を生成する。販促情報画像生成部２０３は、所定の条件（１）が満たされていなかった場合、地域視聴率の視聴率画像として視聴率掲載文字列画像、あるいは、視聴状況地図を生成する所定の条件（２）が満たされているか否かを判定する。地域視聴率の視聴率紹介画像を生成する所定の条件（２）は、例えば、販促商品が食品であり、かつ、イベント内容情報に「血糖値を抑える効果がある」や「がん抑制に効果がある」等の健康に係るキーワードが含まれていること、店舗で販促商品に特価が付けられていること、販促商品が店舗限定商品であることのうち少なくともいずれか１つを満たすことである。
【００５１】
販促情報画像生成部２０３は、所定の条件（２）が満たされていた場合、地域視聴率の視聴率掲載文字列画像、あるいは、視聴状況地図を生成する。販促情報画像生成部２０３は、ユーザ選択情報に基づいて、視聴率掲載文字列画像、視聴状況地図のうちいずれか一方を生成する。販促情報画像生成部２０３は、所定の条件（２）が満たされていなかった場合、時系列累計視聴数グラフを生成する所定の条件（３）が満たされているか否かを判定する。所定の条件（３）は、例えば、販促商品が食品であり、かつ、所定の期間で複数のテレビジョンコンテンツが同じ販促商品に係る情報を取り上げていることである。販促情報画像生成部２０３は、所定の条件（３）が満たされている場合、地域視聴率の時系列累計視聴数グラフを生成する。販促情報画像生成部２０３は、所定の条件（３）が満たされていなかった場合、所定の条件（４）を満たすか否かを判定する。所定の条件（４）は、例えば、他の紹介テレビジョンコンテンツで販促商品と関連付けた健康に係るキーワードが出てきたことである。販促情報画像生成部２０３は、所定の条件（４）が満たされている場合、地域視聴率の視聴率掲載文字列画像を生成する。販促情報画像生成部２０３は、所定の条件（４）が満たされていなかった場合、全国視聴率と地域視聴率とを比較し、数値の高い方の視聴率掲載文字列画像を生成する。
【００５２】
本実施形態において、販促情報画像生成部２０３は、所定の条件（２）が満たされていた場合、ユーザ選択情報に基づいて、地域視聴率の視聴率掲載文字列画像、視聴状況地図のうちいずれか１つを選択して生成するが、これに限られず、販促情報画像生成部２０３が、所定の条件に基づいて自動的に選択して生成してもよい。視聴率掲載文字列画像は、地域視聴率を、予め登録された所定の文字列と結合して生成する。
【００５３】
本実施形態において、地域視聴率の視聴率掲載文字列を生成する場合、地域視聴率がｘｘ％だったとすると、所定の文字列は、例えば、「地域視聴率」である。この場合、視聴率掲載文字列は、「地域視聴率ｘｘ％」という文字列になる。なお、視聴率掲載文字列は、全国視聴率に対しても生成されるが、生成の流れは地域視聴率の視聴率掲載文字列と同じであるため、詳細は省略する。販促情報画像生成部２０３は、視聴率掲載文字列を生成すると、所定の形式に従って、視聴率掲載文字列を表示するための視聴率掲載文字列画像を生成する。視聴状況地図を生成する場合、販促情報画像生成部２０３は、インターネット上から、店舗を中心とした周辺地図を取得し、その地図上に、視聴ログから抽出した販促コンテンツを視聴した消費者の住居を示す印を付与する。時系列累計視聴数グラフを生成する場合、販促情報画像生成部２０３は紹介テレビジョンコンテンツ特定情報テーブルｔ５００から紹介テレビジョンコンテンツを抽出し、視聴ログに基づいて、販促商品に係る紹介テレビジョンコンテンツを視聴した消費者の数をカウントし、時系列累計視聴数グラフを生成する。
【００５４】
次に、販促情報画像生成部２０３は、販促商品の販売促進に効果的な画像を、キャプチャ画像として販促コンテンツのコンテンツ動画からキャプチャする（ＳＴ４０６）。ここで、キャプチャ画像の生成処理についてより詳細に説明する。販促情報画像生成部２０３は、例えば、紹介テレビジョンコンテンツ特定情報テーブルｔ５００から、販促コンテンツの紹介テレビジョンコンテンツ特定情報を自然言語解析し、所定の抽出条件を満たす販促コンテンツのイベント開始時刻を抽出する。所定の抽出条件の詳細は後述する。販促情報画像生成部２０３は、イベント開始時刻を取得すると、放映コンテンツ記録サーバ７００から、販促コンテンツのコンテンツ動画を取得する。販促情報画像生成部２０３は、販促コンテンツのコンテンツ動画を取得すると、取得したコンテンツ動画から、イベント開始時刻の映像をキャプチャして、キャプチャ画像を生成する。また、本実施形態において、キャプチャ画像は、例えば、販促コンテンツのコンテンツ動画からキャプチャしたが、これに限られず、店舗商品サーバ５００に、商品画像が記憶されており、その商品画像を取得してキャプチャ画像としてもよい。
【００５５】
ここで、上記所定の抽出条件についてより詳細に説明する。所定の抽出条件は、例えば、優先順位の高い順に、販促商品が取り上げられている箇所であること、タレントが販促商品を使用している又は飲食している箇所であること、専門家が栄養価の説明をしている箇所であること、レシピが載っている箇所であること、出演者が驚いてコメントを発している箇所であること、地域視聴率が最も高くなった箇所であること、全国視聴率の他のテレビジョンコンテンツへの流出率が最も低い箇所であること、及び視線検出機能付きテレビジョン受像機によって計測された集中視聴度が最も高くなった箇所であること、という８条件である。
【００５６】
販促情報画像生成部２０３は、より優先順位の高い条件を満たした箇所の紹介テレビジョンコンテンツのイベント開始時刻の映像をキャプチャして、キャプチャ画像を生成する。ただし、同じ優先順位の所定の抽出条件を満たす箇所があった場合は、例えば、下位の所定の抽出条件を満たしている方のイベント包含コーナーのイベント開始時刻の映像をキャプチャして、キャプチャ画像を生成する。このようなキャプチャ画像の生成により、地域視聴率が高い場合は、視聴した消費者をメインターゲットとした表示を行うことができる。また、地域視聴率がそれほど高くない場合は、全消費者に効果のある表示を行うことができ、地域視聴率が低い場合は、視聴していない消費者をメインターゲットにした表示を行うことができる。本実施形態において、所定の抽出条件は、例えば、予め設定されているものとするが、これに限られず、ユーザがいくつかの条件の中から選択できてもよい。
【００５７】
次に、販促情報画像生成部２０３は、サイト情報画像を生成する（ＳＴ４０７）。具体的には、販促情報画像生成部２０３は、例えば、Ｔｗｉｔｔｅｒ上で販促商品名がツィートされたツィート数を取得し、所定の形式に従って、取得したツィート数を表示するためのサイト情報画像を生成する。次に、販促情報画像生成部２０３は、販促商品の価格を表示する価格情報画像を生成する（ＳＴ４０８）。具体的には、販促情報画像生成部２０３は、通信部２０１を介して、店舗商品サーバ５００から、販促商品の価格を取得する。販促情報画像生成部２０３は、所定の形式に従って、取得した価格を表示するための価格情報画像を生成する。
【００５８】
次に、販促情報画像生成部２０３は、販促商品の補足情報を表示する補足情報画像を生成する（ＳＴ４０９）。販促情報画像生成部２０３は、例えば、コンテンツ情報サーバ４００から、販促コンテンツ名と紐付けられた補足情報へアクセスするための情報として、補足情報が掲載されたサイトのＵＲＬを読み込むことで、補足情報画像を生成する。また、販促情報画像生成部２０３は、販促商品名を検索キーとして、インターネット上のＷｅｂサイトを検索し、検索結果として得られた上位１０サイトの情報を自然言語解析することで、補足情報として好適なＷｅｂサイトを抽出し、抽出されたＷｅｂサイトへアクセスするためのＵＲＬを取得してもよい。また、販促情報画像生成部２０３は、販促コンテンツを視聴した人のＷｅｂサイトへのアクセスログを解析し、販促商品名を検索キーとして使用して得られた検索結果から閲覧したＷｅｂサイトへの滞在時間を取得して、販促コンテンツを視聴した人の総滞在時間が最も長かったＷｅｂサイトへアクセスするためのＵＲＬを取得してもよい。販促情報画像生成部２０３は、取得したＵＲＬにアクセスし、表示されるＷｅｂサイトの画像をキャプチャすることで、キャプチャ画像を補足情報画像とする。
【００５９】
次に、販促情報画像生成部２０３は、販促コンテンツとは別のテレビジョンコンテンツであって、販促商品を紹介したテレビジョンコンテンツの情報を表示する他コンテンツ情報画像を生成する（ＳＴ４１０）。本実施形態において、他コンテンツ情報画像の生成は、販促情報画像生成部２０３が、紹介テレビジョンコンテンツ特定情報から自然言語解析等を用いて、二番目に全国視聴率が高かったテレビジョンコンテンツの、テレビジョンコンテンツを含むテレビジョン番組名、イベント包含コーナー、イベント包含コーナーに紐付けられたイベント内容情報中のランキング等を抽出することで行われる。販促情報画像生成部２０３は、抽出したテレビジョンコンテンツを含むテレビジョン番組名、イベント包含コーナー、イベント包含コーナーに紐付けられたイベント内容情報中のランキング等を表示するための他コンテンツ情報画像を、所定の形式に従って生成する。
【００６０】
次に、販促情報画像生成部２０３は、商品使用方法情報画像を生成する（ＳＴ４１１）。本実施形態において、販促情報画像生成部２０３は、販促商品の商品キーワードを検索キーとしてインターネット上を検索し、検索結果として得られたＷｅｂサイトの上位１０サイトを自然言語解析し、所定の条件を満たす使用方法を取得することで、商品使用方法情報画像を生成する。販促情報画像生成部２０３は、例えば、販促商品が食品だった場合、その食品を利用した料理のレシピを取得し、販促商品が衣料品だった場合、その衣料品を使ったコーディネートを取得するが、これらに限定されるわけではない。以下、説明の便宜上、販促商品は食品であるとする。
【００６１】
商品使用方法情報画像生成における所定の条件は、例えば、販促商品が食品の場合、優先順位の高い順に、販促商品を使っているレシピであること、視聴者が多いレシピであること、実際に作った人が多いレシピであること、実際に作った人の評判が良いレシピであること、販促コンテンツの出演者が驚いてコメントを発した場面と関連付いているレシピであること、店舗で入手可能な食材のみのレシピであること、調理器具が一般的なものを使っているレシピであること、という７条件である。販促情報画像生成部２０３は、これらの所定の条件の少なくとも一つを満たすレシピのうち、優先順位が最も高い条件を満たすレシピを抽出し、商品使用方法情報画像を所定の形式に従って生成する。販促情報画像生成部２０３は、優先順位が最も高い所定の条件を満たすレシピが複数あった場合、より優先順位の高い下位の所定の条件を満たす方を選択する。なお、本実施形態において、販促商品が食品の場合、レシピを抽出して商品使用方法情報画像を生成したが、これに限られるわけではない。抽出する商品使用方法は、例えば、食品を使ったリラックス方法や、掃除方法でもよい。
【００６２】
図１３は、広告画像生成部２０２が、販促情報画像を取得してから、広告画像を生成して、表示装置１００に送信するまでの動作を説明するフローチャートの一例である。まず、広告画像生成部２０２は、販促情報画像を取得する（ＳＴ５００）。次に、広告画像生成部２０２は、販促情報画像を所定の位置に配置し、広告画像を生成する（ＳＴ５０１）。次に、広告画像生成部２０２は、広告画像を、表示装置１００に送信する（ＳＴ５０２）。
【００６３】
このように、第１の実施形態のサイネージサーバ２００は、ユーザが販促商品を登録すると、販促商品に関連するテレビジョンコンテンツを紹介テレビジョンコンテンツとして抽出する。そして、サイネージサーバ２００は、紹介テレビジョンコンテンツの全国視聴率及び地域視聴率を算出し、これらの視聴率に基づいて、紹介テレビジョンコンテンツの中から販促コンテンツを選択する。この選択された販促コンテンツに関連する情報に基づいて、サイネージサーバ２００は、販売促進効果の高い販促情報画像及び広告画像を生成することができる。
【００６４】
図１４は、一般的な消費者が取ると予想される行動パターンのフローチャートである。このフローチャートは、第１の実施形態のサイネージサーバ２００が、販売促進効果の高い情報を作成していることを示すものであり、一般性を持つものと確信する。消費者は、店舗内の広告を見たとき、ＳＴ６００からＳＴ６１１の行動を行う。消費者は、広告を見る（ＳＴ６００）。次に、消費者は、見た広告が紹介テレビジョンコンテンツを含むのテレビジョン番組名を用いた広告（ＳＴ６０１−番組名）か、紹介テレビジョンコンテンツ内に登場した販促商品を紹介した出演者（以下、紹介人物という）を用いた広告か（ＳＴ６０１−紹介人物）によって、異なる行動を取る。ＳＴ６０１で、見た広告が紹介テレビジョンコンテンツを含むテレビジョン番組名を用いた広告だったとき、消費者の行動は、ＳＴ６０２に遷移する。ＳＴ６０１で、見た広告が紹介人物を用いた広告だったとき、消費者の行動は、ＳＴ６０７に遷移する。
【００６５】
次に、消費者の行動は、販促コンテンツを知っているか否かで異なる行動を取る（ＳＴ６０２）。消費者の行動は、販促コンテンツを知っているとき（ＳＴ６０２−Ｙｅｓ）、ＳＴ６０３に遷移する。消費者の行動は、販促コンテンツを知らないとき（ＳＴ６０２−Ｎｏ）、ＳＴ６０６に遷移する。ＳＴ６０２で、販促コンテンツを知っているとき、消費者の行動は、販促コンテンツを見ていたか否かで異なる行動を取る（ＳＴ６０３）。消費者の行動は、販促コンテンツを見ていたとき（ＳＴ６０３−Ｙｅｓ）、ＳＴ６０４に遷移する。消費者の行動は、販促コンテンツを見ていないとき（ＳＴ６０３−Ｎｏ）、ＳＴ６０５に遷移する。
【００６６】
ＳＴ６０３で、販促コンテンツを見ていたとき、消費者は、高確率で販促商品を購入する（ＳＴ６０４）。ＳＴ６０３で、販促コンテンツを見ていないとき、消費者は、販促商品を購入する可能性がある（ＳＴ６０５）。ＳＴ６０２で、販促コンテンツを知らないとき、消費者の購入意欲は上がらない（ＳＴ６０６）。ＳＴ６０１で、見た広告が紹介人物を用いた広告だったとき、消費者は、紹介人物を知っているか否かで異なる行動を取る（ＳＴ６０７）。紹介人物を知っているとき（ＳＴ６０７−Ｙｅｓ）、消費者の行動は、ＳＴ６０８に遷移する。紹介人物を知らないとき（ＳＴ６０７−Ｎｏ）、消費者の行動は、ＳＴ６１１に遷移する。
【００６７】
ＳＴ６０７で、紹介人物を知っているとき、消費者は、販促コンテンツを見ていたか否かで異なる行動を取る（ＳＴ６０８）。販促コンテンツを見ていたとき（ＳＴ６０８−Ｙｅｓ）、消費者の行動は、ＳＴ６０９に遷移する。販促コンテンツを見ていなかったとき（ＳＴ６０８−Ｎｏ）、消費者の行動は、ＳＴ６１０に遷移する。ＳＴ６０８で、販促コンテンツを見ていたとき、消費者は、高確率で販促商品を購入する（ＳＴ６０９）。ＳＴ６０８で、販促コンテンツを見ていなかったとき、消費者は、購入する可能性がある（ＳＴ６１０）。ＳＴ６０７で、紹介人物を知らないとき、消費者の購入意欲は上がらない（ＳＴ６１１）。
【００６８】
以上のことから、消費者の購入を促す効果がより高い広告は、より多くの人が見ている、あるいは、知っている紹介テレビジョンコンテンツを販促コンテンツとして用いた広告であることが分かる。従って、第１の実施形態のサイネージサーバ２００は、視聴履歴情報の一例である視聴率を用いて、最も多くの人が見ている紹介テレビジョンコンテンツを販促コンテンツとして選択するので、販売促進効果の高い情報を作成することができる。
【００６９】
＜第２の実施形態＞
以下、第２の実施形態について説明する。構成については、図５を援用し、同じ機能部に対して同一の符号を付して説明する。第２の実施形態におけるサイネージサーバ２００の販促情報画像生成部２０３は、過去の所定の期間（例えば３日間）に放映された販促コンテンツの候補である紹介テレビジョンコンテンツに対して、紹介テレビジョンコンテンツを視聴した消費者の視聴時間、及び紹介テレビジョンコンテンツが放映終了してからの経過時間に基づいて、世間での販促商品に対する消費者からの関心の高さを示す適正点数を算出する。販促情報画像生成部２０３は、算出した適正点数に応じて紹介テレビジョンコンテンツから販促コンテンツを選択する。なお、以下の説明において、説明を簡略化するため、販促情報画像生成部２０３は、上述のように紹介テレビジョンコンテンツに対して適正点数を算出するが、これに限られない。販促情報画像生成部２０３は、例えば、該当するイベント内容情報を含むテレビジョン番組や、該当するイベント内容情報を含む紹介テレビジョンコンテンツを含むイベント包含コーナー等に対して適正点数を算出してもよい。
【００７０】
図１５は、適正点数の算出方法を説明するための概念図である。販促情報画像生成部２０３は、図１５の概念図を用いて、適正点数を算出する。図１５において、イベント内容情報種別は、商品の紹介のされ方を類型化した情報である。イベント内容情報種別は、例えば、販促商品が食品だった場合、イベント内容情報を自然言語解析して得られた情報が、当該食品をそのまま食べると美味しいという情報であれば情報Ａとなり、当該食品が健康に良いという情報であれば情報Ｂとなり、当該食品を調理したら美味しくなかったという情報であれば情報Ｃとなる。また、放映終了時刻は、各紹介テレビジョンコンテンツの放映終了時刻を表す。また、第１から第４の視聴者による視聴時間は、第１から第４の視聴者それぞれの、各紹介テレビジョンコンテンツを視聴した時間を表す。また、内容別重み付け係数は、各紹介テレビジョンコンテンツのイベント内容情報種別に対して割り当てられた販促効果への影響度を表す指標である。販促情報画像生成部２０３は、紹介テレビジョンコンテンツのイベント内容情報を自然言語解析し、視聴者の購買意欲との関連性の強弱に基づいて、紹介テレビジョンコンテンツに所定の重み付け係数を、内容別重み付け係数として付与する。具体的には、販促情報画像生成部２０３は、例えば、紹介テレビジョンコンテンツｖｖｖの自然言語解析の結果、深夜帯のお笑いコンテンツと判定されると重み付け係数が０．５となる。
【００７１】
また、経過時間別重み付け係数は、紹介テレビジョンコンテンツの放映終了時刻からの経過時間による販促効果への影響度を表す指標である。紹介テレビジョンコンテンツに対する世間での話題性は、紹介テレビジョンコンテンツの放映終了時刻から時間が経過するほど低下するので、経過時間別重み付け係数は小さくなる。販促情報画像生成部２０３は、例えば、経過時間別重み付け係数を、次式（１）によって算出する。なお、経過時間の単位は「時間」である。
（経過時間別重み付け係数）＝１−（経過時間）／７０・・・（１）
【００７２】
販促情報画像生成部２０３は、紹介テレビジョンコンテンツ毎の視聴者の視聴時間の合計に対して、内容別重み付け係数と、経過時間別重み付け係数とを乗算し、適正点数を算出する。図１５の概念図では、視聴者は第１から第４の視聴者の４人のみとなっているが、これはあくまで一例である。適正点数の算出は、例えば、紹介テレビジョンコンテンツｘｘｘに対しては、第１から第４の視聴者の視聴時間の合計が３２０秒であり、内容別重み付け係数が１、経過時間別重み付け係数が０．８２なので、適正点数は、次式（２）で表され、２６２となる。
３２０×１×０．８２≒２６２・・・（２）
【００７３】
販促情報画像生成部２０３は、例えば、過去３日間の紹介テレビジョンコンテンツ全てに対して、適正点数を算出し、イベント内容情報種別毎に合計点数を算出する。図１５の概念図では、情報Ａの適正点数の合計は、紹介テレビジョンコンテンツｘｘｘ、ｖｖｖの２つのテレビジョンコンテンツの適正点数の合計なので、２９８．９ポイントとなる。同様に、情報Ｂの適正点数の合計は１６０ポイントであり、情報Ｃの適正点数の合計は３６．５ポイントである。販促情報画像生成部２０３は、最も高い適正点数の合計となったイベント内容情報種別に対応する紹介テレビジョンコンテンツの中から、販促コンテンツを選択する。図１５の概念図の例では、情報Ａが最も適正点数の合計が高いので、情報Ａの紹介テレビジョンコンテンツであるｘｘｘ、ｖｖｖのいずれかが販促コンテンツとして選択される。販促情報画像生成部２０３は、最も高い適正点数の合計となった紹介テレビジョンコンテンツ特定情報種別の紹介テレビジョンコンテンツの中から、適正点数が最も高い紹介テレビジョンコンテンツを、販促コンテンツとして選択する。
【００７４】
このように、第２の実施形態のサイネージサーバ２００は、紹介テレビジョンコンテンツを視聴した消費者（視聴者）の視聴履歴情報の一例である視聴時間に基づいて、適正点数を算出することで販促コンテンツを選択する。適正点数は、世間での販促商品に対する消費者からの関心の高さを示すため、販促情報画像生成部２０３は、適正点数による選択によって、販売促進効果の高い販促情報画像及び広告画像を生成することができる。
【００７５】
＜第３の実施形態＞
以下、第３の実施形態について説明する。構成については、図５を援用し、同じ機能部に対して同一の符号を付して説明する。第３の実施形態における販促情報画像生成部２０３は、商品使用方法情報画像と、他コンテンツ情報画像とを、販促コンテンツの視聴者と、視聴者が共通する度合いが高い他のテレビジョンコンテンツ（以下、相関コンテンツという）のテレビジョンコンテンツ情報に基づいて、他コンテンツ情報画像と、商品使用方法情報画像とを生成する。本実施形態において、説明を簡略化するため、販促商品を食品とするが、これに限られず、衣料品や電化製品等であってもよい。
【００７６】
図１６は、相関コンテンツの選択を説明するための概念図である。販促情報画像生成部２０３は、図１６の概念図を用いて、相関コンテンツを選択する。図１６の概念図は、各テレビジョンコンテンツの視聴の有無を示す視聴パターンと、該当するテレビジョン受像機の数を対応付けた情報である。図１６の概念図の２行目は、テレビジョンコンテンツ１〜３の視聴状況全てが「視聴」となっている。そして、概念図の再右列は、視聴状況毎の視聴台数を表示している。従って、概念図の２行目は、再右列の視聴状況毎の視聴台数は、テレビジョンコンテンツ１〜３の全てを視聴したテレビジョン受像機の台数を表している。図１６の概念図の３行目ならば、再右列の視聴状況毎の視聴台数は、テレビジョンコンテンツ１及びテレビジョンコンテンツ２を両方視聴し、テレビジョンコンテンツ３を視聴していないテレビジョン受像機の台数である。図１６の概念図の最下行は、テレビジョンコンテンツ毎の、視聴したテレビジョン受像機の総台数を表示している。
【００７７】
販促情報画像生成部２０３は、例えば、テレビジョンコンテンツ１を過去３日間において販促商品を紹介した最も視聴率の高かったテレビジョンコンテンツ、テレビジョンコンテンツ２を過去３日間においてテレビジョンコンテンツ１の次に全国視聴率の高かった販促商品を紹介したテレビジョンコンテンツとする。そして、販促情報画像生成部２０３は、例えば、テレビジョンコンテンツ３を、過去３日間において販促商品と関連して料理に使用する食品（以下、関連食品という）を紹介したテレビジョンコンテンツとする。関連食品は、例えば、販促商品が「苺」だとすると、苺を使用したロールケーキが紹介されていた場合、ロールケーキに使用される生クリームや小麦粉のことである。
【００７８】
販促情報画像生成部２０３は、テレビジョンコンテンツ１及びテレビジョンコンテンツ２を、紹介テレビジョンコンテンツの紹介テレビジョンコンテンツ特定情報を格納している前述の紹介テレビジョンコンテンツ特定情報テーブルｔ５００と、全国のテレビジョン受像機から収集された前述の視聴ログとに基づいて選択する。テレビジョンコンテンツ３について、販促情報画像生成部２０３は、料理のレシピを紹介する所定のＷｅｂサイトから、販促商品を使ったレシピを検索し、検索したレシピから自然言語解析によって関連食品を抽出する。販促情報画像生成部２０３は、抽出した関連食品を紹介したテレビジョンコンテンツ（以下、関連食品紹介テレビジョンコンテンツという）をテレビジョンコンテンツ情報テーブルｔ１００から抽出する。抽出された関連食品紹介テレビジョンコンテンツは、関連食品と紐付けられている。販促情報画像生成部２０３は、抽出した関連食品紹介テレビジョンコンテンツの視聴台数を、視聴ログから抽出し、最も視聴台数の多かった関連食品紹介テレビジョンコンテンツを、テレビジョンコンテンツ３とする。
【００７９】
販促情報画像生成部２０３は、例えば、テレビジョンコンテンツ１を「あまいお」という苺を紹介したテレビジョンコンテンツ、テレビジョンコンテンツ２が苺のランキングを紹介したテレビジョンコンテンツ、テレビジョンコンテンツ３が生クリーム（上記の関連食品）を紹介したテレビジョンコンテンツである場合、他コンテンツ情報の情報源となる他コンテンツの候補を、テレビジョンコンテンツ２及びテレビジョンコンテンツ３とする。販促情報画像生成部２０３は、テレビジョンコンテンツ２とテレビジョンコンテンツ３とのうち、テレビジョンコンテンツ１とともに視聴していた台数が多い方のテレビジョンコンテンツを、他コンテンツとする。具体的には、図１６の概念図の場合、テレビジョンコンテンツ１の総視聴台数が１００台であり、テレビジョンコンテンツ１を視聴してはいないがテレビジョンコンテンツ２を視聴していた台数が２０台、テレビジョンコンテンツ１を視聴していないがテレビジョンコンテンツ３を視聴していた台数が４５台である。テレビジョンコンテンツ１とテレビジョンコンテンツ２とのいずれかを視聴していた台数Ｎ１２は、次式（３）で表され、テレビジョンコンテンツ１とテレビジョンコンテンツ３とのいずれかを視聴していた台数Ｎ１３は、次式（４）で表される。
Ｎ１２＝１００＋２０＝１２０（台）・・・（３）
Ｎ１３＝１００＋４５＝１４５（台）・・・（４）
【００８０】
この場合、販促情報画像生成部２０３は、Ｎ１３の方がＮ１２よりも多いため、テレビジョンコンテンツ３を他コンテンツとして選択することで、販促コンテンツであるテレビジョンコンテンツ１を視聴していなかった消費者に対しても、より高い販売促進効果を得ることができる。従って、販促情報画像生成部２０３は、テレビジョンコンテンツ３を他コンテンツとして選択する。また、販促情報画像生成部２０３は、テレビジョンコンテンツ３に紐付けられた関連食品と、販促商品とを組み合わせたレシピを、上記料理のレシピを紹介する所定のＷｅｂサイトから検索し、最も人気の高いレシピを抽出して商品使用方法情報画像を生成する。
【００８１】
このように、第３の実施形態のサイネージサーバ２００は、販促コンテンツとの相関が高い他コンテンツを抽出することで、他コンテンツ情報画像と商品使用方法情報画像とを生成するため、販促コンテンツを視聴していない消費者に対しても販売促進効果の高い販促情報画像及び広告画像を生成することができる
【００８２】
＜第４の実施形態＞
以下、第４の実施形態のサイネージサーバ２００について説明する。第１〜第３の実施形態では、販促情報画像生成部２０３は、ユーザの入力によって受け付けたユーザ選択情報に基づいて、他の販促情報画像を構成する各画像を自動的に生成した。これに対し、第４の実施形態における販促情報画像生成部２０３は、ユーザの入力を受け付けることにより、販促情報画像を構成する各画像を選択する。
図１７は、第４の実施形態におけるサイネージサーバ２００の概略ブロック図である。第４の実施形態のサイネージサーバ２００は、通信部２０１、広告画像生成部２０２、販促情報画像生成部２０３ａ、商品補足情報取得部２０４、紹介テレビジョンコンテンツ特定情報取得部２０５、視聴率算出部２０６、好適コンテンツ選択部２０７、販促商品名記憶部２０８、販促商品名受付部２０９、紹介テレビジョンコンテンツ特定情報記憶部２１０、表示部２１２、タッチパネル２１３を含む。同図において、図５の各部に対応する部分には同一の符号を付け（２０１、２０２、２０４〜２１０）、その説明を省略する。
【００８３】
販促情報画像生成部２０３ａは、好適コンテンツ視聴率テーブル及び紹介テレビジョンコンテンツ特定情報テーブルｔ５００を取得すると、選択画面を生成する。選択画面は、販促情報画像を生成する際に必要な情報（以下、表示情報という）を選択肢として表示し、視覚的に選択できるようにした画面である。選択肢は、例えば、宣伝文句画像を生成するために必要な情報である販促コンテンツの候補となる紹介テレビジョンコンテンツである。販促情報画像生成部２０３ａは、選択画面を生成すると、表示部２１２に選択画面を出力して表示させる。ここで、図１８を参照して、選択画面を説明する。選択画面ｄｉｓｐは、まだ販促情報画像が配置されていない枠組みだけの広告画像ｉｍｇ、販促情報画像の各種別を選択するためのボタンリストｌｉｓｔ１、及びボタンリストｌｉｓｔ１から販促情報画像の種別を選択した際に表示される表示情報選択肢ｌｉｓｔ２を含む。
【００８４】
表示情報選択肢ｌｉｓｔ２は、好適コンテンツ視聴率テーブル及び紹介テレビジョンコンテンツ特定情報、そしてインターネットからの情報に基づいて表示される。宣伝文句画像に対する表示情報選択肢ｌｉｓｔ２は、例えば、販促情報画像生成部２０３ａが、販促コンテンツを地域視聴率順に抽出し、抽出した販促コンテンツ毎に宣伝文句を表す文字列を生成することで表示される。なお、販促情報画像生成部２０３ａは、第１の実施形態や第２の実施形態のように、視聴率や、視聴時間（及び経過時間）に基づいて、紹介テレビジョンコンテンツから販促コンテンツを選択してもよいし、紹介テレビジョンコンテンツの全てを販促コンテンツとして扱ってもよい。ユーザが表示情報選択肢ｌｉｓｔ２から、販促情報画像として利用したい表示情報を選択すると、販促情報画像生成部２０３ａは、該当する販促情報画像を生成し、広告画像ｉｍｇの枠内の所定の位置に配置する。すでに配置済みの販促情報画像の例が、ｓｅｌ３の価格画像である。また、ｓｅｌ１は、例えば、現在選択中の販促情報画像が分かるように、対応する販促情報画像の枠に特定の色が付けられるが、これに限られず、枠がハッチングされてもよいし、枠内の色が変わってもよい。
【００８５】
販促情報画像生成部２０３ａは、タッチパネルからタッチ操作によって、表示情報への選択入力を受け付ける。販促情報画像生成部２０３ａは、受け付けた選択入力に基づいて、販促情報画像を生成する。販促情報画像生成部２０３ａは、全ての販促情報画像の生成が終わると、広告画像生成部２０２に出力する。
表示部２１２は、サイネージサーバ２００のディスプレイである。
タッチパネル２１３は、表示部２１２のパネルに重ねて配置され、抵抗膜方式や静電容量方式等を用いてユーザの指又はペンがタッチパネル上に触れた位置を検出する。
【００８６】
図１９は、販促情報画像生成部２０３ａが、選択画面からの入力によって販促情報画像を生成する動作を説明するフローチャートの一例である。まず、販促情報画像生成部２０３は、好適コンテンツ視聴率テーブルを取得する（ＳＴ７００）。次に、販促情報画像生成部２０３は、紹介テレビジョンコンテンツ特定情報テーブルｔ５００を取得する（ＳＴ７０１）。次に、販促情報画像生成部２０３は、選択画面を生成する（ＳＴ７０２）。次に、販促情報画像生成部２０３は、選択画面を、表示部２１２に出力して表示させる（ＳＴ７０３）。次に、販促情報画像生成部２０３は、販促情報画像毎に、ＳＴ７０４からＳＴ７０７の処理を繰り返し実行する（ＳＴ７０４）。販促情報画像生成部２０３は、タッチパネル２１３を通して、選択画面に対して選択入力が行われたか否かを判定する（ＳＴ７０５）。販促情報画像生成部２０３は、選択画面に対して選択入力が行われていないとき（ＳＴ７０５−Ｎｏ）、選択入力があるまで待機する。販促情報画像生成部２０３は、選択画面に対して選択入力が行われたとき（ＳＴ７０５−Ｙｅｓ）、ＳＴ７０６に遷移する。次に、販促情報画像生成部２０３は、選択入力された表示情報選択肢に基づいて、販促情報画像を生成する（ＳＴ７０６）。次に、販促情報画像生成部２０３は、販促情報画像を、広告画像生成部２０２に出力する（ＳＴ７０８）。
【００８７】
このように、第４の実施形態のサイネージサーバ２００は、ユーザが視覚的に広告画像に利用する販促情報画像を選択することができ、第１の実施形態と同様の効果を得ることができる。また、ユーザの選択に応じて、販促情報画像を生成するので、ユーザの好みを反映した広告画像を生成することができる。なお、ユーザによる表示情報の選択は、例えば、販促情報画像毎に選択するとしたが、これに限られず、複数の選択肢が紐付けられており、紐付けられた選択肢同士は、一つを選択すると紐付けられた選択肢もそれに対応して選択されてもよい。具体的には、宣伝文句画像は、例えば、キャプチャ画像と紐付けられており、宣伝文句画像を生成するための販促コンテンツを選択すると、その販促コンテンツからキャプチャ画像がキャプチャされてもよい。また、本実施形態において、サイネージサーバ２００は、例えば、タッチパネル２１３を含むが、これに限られず、マウスやキーボード等の入力機器によって、ユーザから選択入力を受け付けてもよい。
【００８８】
＜第５の実施形態＞
第５の実施形態のサイネージサーバ２００は、販促商品名受付部２０９を含んでおらず、代わりに販促商品名選択部２１４を含んでおり、ユーザが販促商品名を入力することなく、所定の条件を満たすテレビジョンコンテンツに登場した店舗商品を販促商品としてもよい。
図２０は、第５の実施形態におけるサイネージサーバ２００の概略ブロック図である。第５の実施形態のサイネージサーバ２００は、通信部２０１、広告画像生成部２０２、販促情報画像生成部２０３ａ、商品補足情報取得部２０４、紹介テレビジョンコンテンツ特定情報取得部２０５、視聴率算出部２０６、好適コンテンツ選択部２０７、販促商品名記憶部２０８、紹介テレビジョンコンテンツ特定情報記憶部２１０、販促情報選択受付部２１１、販促商品名選択部２１４を含む。同図において、図５の各部に対応する部分には同一の符号を付け（２０１〜２１１）、その説明を省略する。
【００８９】
販促商品名選択部２１４は、通信部２０１を介して、視聴ログサーバ３００から視聴ログを、店舗商品サーバ５００から店舗商品テーブルｔ２００を、コンテンツ情報サーバ４００から過去１週間以内のテレビジョンコンテンツ情報テーブルｔ１００を取得する。販促商品名選択部２１４は、テレビジョンコンテンツ情報テーブルｔ１００に格納されているテレビジョンコンテンツの地域視聴率を、視聴ログから算出する。地域視聴率の算出は、視聴率算出部２０６と同様なので、詳細の説明は省略する。テレビジョンコンテンツの地域視聴率を算出すると、販促商品名選択部２１４は、地域視聴率、視聴ログ、店舗商品テーブルｔ２００、及びテレビジョンコンテンツ情報テーブルｔ１００に基づいて、所定の条件を満たすテレビジョンコンテンツを抽出する。所定の条件は、例えば、テレビジョンコンテンツ中に店舗商品が登場し、地域視聴率が１０％以上であること等であるが、これに限られず、特定の消費者に視聴されていたこと等が含まれていてもよい。販促商品名選択部２１４は、抽出されたテレビジョンコンテンツのうち、最も地域視聴率が高いテレビジョンコンテンツ中に登場した店舗商品を、販促商品として、販促商品名記憶部２０８に記憶させる。
【００９０】
このように、第５の実施形態のサイネージサーバ２００は、ユーザが販促商品を入力しなくても、所定の条件を満たすテレビジョンコンテンツを抽出し、そのテレビジョンコンテンツに登場した店舗商品を販促商品とすることで、第１の実施形態と同様の効果を得ることができる。なお、本実施形態において、販促商品名選択部２１４は、抽出されたテレビジョンコンテンツの中で最も地域視聴率の高いテレビジョンコンテンツ中に登場した店舗商品を販促商品としたが、これに限られず、販促商品名選択部２１４が、抽出されたテレビジョンコンテンツに登場した店舗商品全てを販促商品として選択することで、サイネージサーバ２００は、それら全てに対する販促情報画像及び広告画像を生成してもよい。
【００９１】
また、上記第１から第５の実施形態において、サイネージサーバ２００は、表示装置１００に広告画像を送信して表示させるとしたが、これに限られない。表示先は、例えば、ショッピングサイト内での広告、メールマガジン、テレビジョン受像機、インターネット上の掲示板、ＳＮＳ、音声出力装置、及び店頭ＰＯＰのプリンター等であってもよい。
【００９２】
以上、この発明の実施形態を、図面を参照して詳述してきたが、具体的な構成はこの実施形態に限られるものではなく、この発明の要旨を逸脱しない限り、変更、置換、削除等されてもよい。
【００９３】
また、図５、図１７、図２０におけるサイネージサーバ２００を構成する各部の機能を実現するためのプログラムを、コンピュータ読み取り可能な記録媒体に記録して、この記録媒体に記録されたプログラムをコンピュータシステムに読み込ませ、実行することによりサイネージサーバ２００の実施を行ってもよい。なお、ここでいう「コンピュータシステム」とは、ＯＳ（Operation System）や周辺機器等のハードウェアを含むものとする。
【００９４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００９５】
（１）本発明の一態様は、テレビジョン放映されたテレビジョンコンテンツの内容を記述したコンテンツ内容情報を参照し、少なくとも商品に関連する部分を含むテレビジョンコンテンツを抽出する抽出部（２０５）と、テレビジョンが視聴された履歴を含む視聴履歴情報を参照し、前記抽出部（２０５）により抽出されたテレビジョンコンテンツから、前記視聴履歴情報に関する設定条件を満たすテレビジョンコンテンツを選択する選択部（２０３、２０３ａ）と、を備えるコンテンツ作成装置（２００）である。
（２）また、本発明の他の態様は、（１）に記載のコンテンツ作成装置（２００）であって、前記選択部（２０３、２０３ａ）により選択されたテレビジョンコンテンツの内容を用いて、前記商品の販売促進用情報を生成する生成部（２０３、２０３ａ）を備える、コンテンツ作成装置（２００）である。
（３）また、本発明の他の態様は、（２）に記載のコンテンツ作成装置（２００）であって、前記選択部（２０３、２０３ａ）により選択されたテレビジョンコンテンツを、ユーザに提示する提示部（２１２）と、前記選択部（２０３、２０３ａ）により選択されたテレビジョンコンテンツを含む情報の選択操作を受け付ける受付部（２１３）と、を備え、前記生成部（２０３、２０３ａ）は、前記受付部（２１３）が選択操作を受け付けた情報を含めた前記商品の販売促進用情報を生成する、コンテンツ作成装置（２００）である。
【００９６】
（４）また、本発明の他の態様は、（２）又は（３）に記載のコンテンツ作成装置（２００）であって、前記生成部（２０３、２０３ａ）は、前記選択部（２０３、２０３ａ）により選択されたテレビジョンコンテンツの動画像又はキャプチャ画像を含む前記商品の販売促進用情報を生成する、コンテンツ作成装置（２００）である。
（５）また、本発明の他の態様は、（２）から（４）のうちいずれか一項に記載のコンテンツ作成装置（２００）であって、前記生成部（２０３、２０３ａ）は、ネットワーク上より得られる前記商品に関連する情報を含む前記商品の販売促進情報を生成する、コンテンツ作成装置（２００）である。
【００９７】
（６）また、本発明の他の態様は、（２）から（５）のうちいずれか一項に記載のコンテンツ作成装置（２００）であって、前記生成部（２０３、２０３ａ）は、前記商品の使用方法に関する情報を含む前記商品の販売促進用情報を生成する、コンテンツ作成装置（２００）である。
（７）また、本発明の他の態様は、（６）に記載のコンテンツ作成装置であって、前記生成部（２０３、２０３ａ）は、前記視聴履歴情報を参照して、前記選択部（２０３、２０３ａ）により選択されたテレビジョンコンテンツと、視聴者が共通する度合いが高い他のテレビジョンコンテンツとを選択し、前記番組内容情報を参照して得られる前記他のテレビジョンコンテンツが扱った商品と、前記商品とを共通して使用する使用方法を含む前記商品の販売促進用情報を生成する、コンテンツ作成装置（２００）である。
（８）また、本発明の他の態様は、（６）又は（７）に記載のコンテンツ作成装置であって、前記商品は、食品であり、前記生成部（２０３、２０３ａ）は、前記商品に係る食品を使用する料理レシピを含む前記商品の販売促進用情報を生成する、コンテンツ作成装置（２００）である。
【００９８】
（９）また、本発明の他の態様は、（２）から（８）のいずれか一項に記載のコンテンツ作成装置であって、前記生成部（２０３、２０３ａ）は、前記選択部（２０３、２０３ａ）により選択されたテレビジョンコンテンツについての前記視聴履歴情報から得られる情報を含む前記商品の販売促進用情報を生成する、コンテンツ作成装置（２００）である。
（１０）また、本発明の他の態様は、（１）から（９）のうちいずれか一項に記載のコンテンツ作成装置（２００）であって、前記抽出部（２０３、２０３ａ）は、複数の商品に関連するテレビジョンコンテンツを抽出し、前記選択部（２０３、２０３ａ）は、前記設定条件を満たすテレビジョンコンテンツを、前記複数の商品に対応するテレビジョンコンテンツとして選択し、前記複数の商品のうち、対応するテレビジョンコンテンツが、前記視聴履歴情報に関する第２の設定条件を満たす商品を選択する商品選択部（２０３、２０３ａ）を備える、コンテンツ作成装置（２００）である。
【００９９】
（１１）また、本発明の他の態様は、テレビジョン放映されたテレビジョンコンテンツの内容を記述したコンテンツ内容情報を参照し、少なくとも商品に関連する部分を含むテレビジョンコンテンツを抽出する抽出部（２０３、２０３ａ）と、前記抽出部により抽出されたテレビジョンコンテンツを、ユーザに提示する提示部（２１２）と、前記抽出部（２０３、２０３ａ）により抽出されたテレビジョンコンテンツを含む情報の選択操作を受け付ける受付部（２１３）と、前記受付部（２１３）が選択操作を受け付けた情報を含めた前記商品の販売促進用情報を生成する生成部（２０３、２０３ａ）と、を備えるコンテンツ作成装置（２００）である。
（１２）また、本発明の他の態様は、テレビジョン放映されたテレビジョンコンテンツの内容を記述したコンテンツ内容情報を参照して、少なくとも商品に関連する部分を含むテレビジョンコンテンツを抽出し、テレビジョンが視聴された履歴を含む視聴履歴情報を参照し、前記抽出部により抽出されたテレビジョンコンテンツから、前記視聴履歴情報に関する設定条件を満たすテレビジョンコンテンツを選択する、コンテンツ作成方法である。
（１３）また、本発明の他の態様は、コンピュータに、テレビジョン放映されたテレビジョンコンテンツの内容を記述したコンテンツ内容情報を参照し、少なくとも商品に関連する部分を含むテレビジョンコンテンツを抽出させ、テレビジョンが視聴された履歴を含む視聴履歴情報を参照し、前記抽出部により抽出されたテレビジョンコンテンツから、前記視聴履歴情報に関する設定条件を満たすテレビジョンコンテンツを選択させる、コンテンツ作成プログラムである。
【符号の説明】
【０１００】
１０・・・販促支援システム  １００・・・表示装置  １０１・・・通信部  １０２・・・表示部  ２００・・・サイネージサーバ  ２０１・・・通信部  ２０２・・・広告画像生成部  ２０３、２０３ａ・・・販促情報画像生成部  ２０４・・・商品補足情報取得部  ２０５・・・紹介テレビジョンコンテンツ特定情報取得部  ２０６・・・視聴率算出部  ２０７・・・好適番組選択部  ２０８・・・販促商品名記憶部  ２０９・・・販促商品名受付部  ２１０・・・紹介テレビジョンコンテンツ特定情報記憶部  ２１１・・・販促情報選択受付部  ２１２・・・表示部  ２１３・・・タッチパネル  ２１４・・・販促商品名選択部  ３００・・・視聴ログサーバ  ４００・・・コンテンツ情報サーバ  ５００・・・店舗商品サーバ  ６００・・・店舗商品補足サーバ  ７００・・・放映コンテンツ記録サーバ
【要約】
【課題】販売促進効果の高い情報を作成することができるコンテンツ作成装置を提供すること。
【解決手段】テレビジョン放映されたテレビジョンコンテンツの内容を記述したコンテンツ内容情報を参照し、少なくとも商品に関連する部分を含むテレビジョンコンテンツを抽出する抽出部と、テレビジョンが視聴された履歴を含む視聴履歴情報を参照し、前記抽出部により抽出されたテレビジョンコンテンツから、前記視聴履歴情報に関する設定条件を満たすテレビジョンコンテンツを選択する選択部と、を備えるコンテンツ作成装置。
【選択図】図１【図１】
0005480427.tif 000002
【図２】
0005480427.tif 000003
【図３】
0005480427.tif 000004
【図４】
0005480427.tif 000005
【図５】
0005480427.tif 000006
【図６】
0005480427.tif 000007
【図７】
0005480427.tif 000008
【図８】
0005480427.tif 000009
【図９】
0005480427.tif 000010
【図１０】
0005480427.tif 000011
【図１１】
0005480427.tif 000012
【図１２】
0005480427.tif 000013
【図１３】
0005480427.tif 000014
【図１４】
0005480427.tif 000015
【図１５】
0005480427.tif 000016
【図１６】
0005480427.tif 000017
【図１７】
0005480427.tif 000018
【図１８】
0005480427.tif 000019
【図１９】
0005480427.tif 000020
【図２０】
0005480427.tif 000021